(57)【特許請求の範囲】
【請求項１】
電気光学物質を保持する透明基板の電子部品実装領域に第１の光源から第１の光を真下から照射することにより前記透明基板の位置決めを行う第１の位置合わせ工程と、
前記電子部品実装領域に第２の光源から第２の光を斜め下方から照射することにより前記透明基板の透明な端子と該透明基板に実装される電子部品の端子との位置合わせを行う第２の位置合わせ工程と、
前記電子部品と前記透明基板とを異方性導電材を挟んで圧着する圧着工程とを有する電気光学装置の製造方法において、
前記第２の光源については、前記第２の位置合わせ工程で点灯状態とし、前記第１の位置合わせ工程では消灯状態とすることを特徴とする電気光学装置の製造方法。
【請求項２】
請求項１において、前記第２の光源については、前記第２の位置合わせ工程で所定の時間が経過したときは前記透明基板の透明な端子と前記電子部品の端子との位置合わせが完了したか否かにかかわらず、点灯状態から消灯状態に切り換えることを特徴とする電気光学装置の製造方法。
【請求項３】
請求項１または２において、前記第１の光源については、前記第１の位置合わせ工程および前記第２の位置合わせ工程のいずれにおいても点灯状態とすることを特徴とする電気光学装置の製造方法。
【請求項４】
請求項３において、前記第１の光源については、前記圧着工程でも点灯状態とすることを特徴とする電気光学装置の製造方法。
【請求項５】
請求項１ないし４のいずれかにおいて、前記第２の光は、前記透明基板において前記電気光学物質が保持されている側から基板縁に向かって出射されることを特徴とする電気光学装置の製造方法。
【請求項６】
請求項１ないし５のいずれかにおいて、前記電気光学物質は、一対の透明基板に保持された液晶であることを特徴とする電気光学装置の製造方法。
【請求項７】
請求項６において、前記電子部品は、前記一対の透明基板のうち一方の基板の他方の基板から張り出している張り出し領域に実装されていることを特徴とする電気光学装置の製造方法。
【請求項８】
請求項１ないし７のいずれかにおいて、前記電子部品は、フレキシブル基板であることを特徴とする電気光学装置の製造方法。
【請求項９】
請求項１ないし８のいずれかに規定する方法によって製造されたことを特徴とする電気光学装置。
【請求項１０】
請求項９に規定する電気光学装置を表示部として用いたことを特徴とする電子機器。
【請求項１１】
電気光学物質を保持する透明基板が上方に配置される透光性ステージと、
前記透光性ステージを介して前記透明基板の電子部品実装領域に第１の光を真下から照射する第１の光源と、
前記透光性ステージを介して前記透明基板の電子部品実装領域に第２の光を斜め下方から照射する第２の光源と、
該第２の光源および前記第１の光源の点灯状態および消灯状態の制御を行う光源制御手段と、
前記透光性ステージ上で前記電子部品と前記透明基板とを異方性導電材を挟んで圧着する圧着ヘッドとを有し、
前記光源制御手段は、前記透明基板の位置合わせを行う第１の位置合わせ工程で前記第２の光源を消灯状態とし、前記透明基板の透明な端子と前記透明基板上に実装される電子部品の端子との位置合わせを行う第２の位置合わせ工程では前記第２の光源を点灯状態とすることを特徴とする圧着装置。
【請求項１２】
請求項１１において、前記光源制御手段は、前記第２の位置合わせ工程で所定の時間が経過したときは前記透明基板の透明な端子と前記電子部品の端子との位置合わせが完了したか否かにかかわらず、前記第２の光源を点灯状態から消灯状態に切り換えることを特徴とする圧着装置。
【請求項１３】
請求項１１または１２において、前記光源制御手段は、前記第１の位置合わせ工程および前記第２の位置合わせ工程で前記第１の光源を点灯状態とすることを特徴とする圧着装置。
【請求項１４】
請求項１３において、前記光源制御手段は、前記圧着工程で前記第１の光源を点灯状態とすることを特徴とする圧着装置。
【請求項１５】
請求項１１ないし１４のいずれかにおいて、前記第２の光源は、前記透明基板において前記電気光学物質が保持されている側から基板縁に向かって前記第２の光を出射することを特徴とする圧着装置。
【発明の詳細な説明】
【０００１】
【発明の属する技術分野】
本発明は、電気光学物質を保持する透明基板に電子部品が異方性導電材によって実装された電気光学装置の製造方法、この方法によって製造された電気光学装置、この電気光学装置を備えた電子機器、および透明基板に電子部品を実装するための圧着装置に関するものである。
【０００２】
【従来の技術】
フレキシブル基板やフェイスダウンボンディングタイプのＩＣなどの電子部品を異方性導電膜（Ａｎｉｓｏｔｒｏｐｉｃ  ｃｏｎｄｕｃｔｉｖｅ  ｆｉｌｍ）や異方性導電剤などの異方性導電材を用いて基板に実装する方法は、ファインピッチへの対応が可能であるとともに、多接点を一括して電気的に接続できるので、液晶装置などといった電気光学装置において、電気光学物質を保持する基板上に電子部品を実装するのに適している。
【０００３】
このような実装が行われる電気光学装置のうち、電気光学物質として液晶を用いたものでは、図１０に示すように、一対の透明基板１０、２０がシール材３０で貼り合わされており、このシール材３０で区画形成された領域内に液晶３が保持されている。ここで、一対の透明基板１０、２０の各々において互いに対向する面には、液晶３を駆動するための電極パターン（図示せず）が透明なＩＴＯ膜から構成されている。
【０００４】
この電気光学装置１では、一対の透明基板１０、２０のうち、少なくとも一方の透明基板２０については、他方の透明基板１０の縁から張り出させ、この張り出し領域２５に対してフレキシブル基板４０などの電子部品を実装するための端子（図示せず）が形成され、このような端子（図示せず）も透明なＩＴＯ膜から構成されている。
【０００５】
このような電気光学装置１を製造するにあたって、透明基板２０の端子にフレキシブル基板４０を実装する場合には、まず、第２の透明基板２０の基板実装領域４１０に異方性導電材を塗布、あるいは重ねた後、第２の透明基板２０の基板実装領域４１０の真下に配置された第１の光源１２１から照射された第１の白色光の反射光によって、第２の透明基板２０に形成されているアライメントマーク（図示せず）を撮像装置１３０によって観察し、その観察結果に基づいて、液晶パネル２の位置合わせを行う（第１の位置合わせ工程）。
【０００６】
次に、第２の透明基板２０の基板実装領域４１０の斜め下方に配置された第２の光源１２２から照射された第２の白色光の反射光によって、第２の透明基板２０に形成されているアライメントマーク（図示せず）を撮像装置１３０によって観察するとともに、第２の透明基板２０に形成されている端子とフレキシブル基板４０の端子との位置関係を観察し、それらの観察結果に基づいて、端子同士の位置合わせを行う（第２の位置合わせ工程）。ここで、第２の光源１２２から出射される第２の白色光は、第１の光源１２１から出射される第１の白色光に比較して大きなパワーを有している。
【０００７】
このようにして、端子同士の位置合わせを終えた後、圧着ヘッド１８０を降下させ、透光性ステージ１１０上でフレキシブル基板４０の端部４１と第２の透明基板２０とを異方性導電材を挟んで圧着することにより端子同士を電気的に接続する（圧着工程）。
【０００８】
なお、第１の光源１２１および第２の光源１２２は、それぞれフレキシブルケーブル１２４、１２５および投射レンズ光学系１２６、１２７を介して白色光を出射する。
【０００９】
このような第１の位置合わせ工程、第２の位置合わせ工程、および圧着工程を行う間、第１の光源１２１および第２の光源１２２は、図１１に示すように、いずれも点灯状態のままにある。
【００１０】
【発明が解決しようとする課題】
しかしながら、従来の方法でフレキシブル基板４０を実装すると、白色光が透光性ステージ１１０を介して液晶３にも照射される結果、液晶３が劣化して表示にむらが発生するなど、表示品位が低下するという問題点がある。すなわち、液晶３は、波長が４００ｎｍから４３０ｎｍの紫外線によって劣化する傾向にあるが、第１の光源１２１および第２の光源１２２から出射される白色光には、波長が４００ｎｍから４３０ｎｍの紫外線が含まれているのである。
【００１１】
以上の問題点に鑑みて、本発明の課題は、電気光学物質を劣化させることなく透明基板の端子と電子部品の端子とを位置合わせした後、端子同士を電気的に接続することのできる電気光学装置の製造方法、この方法によって製造された電気光学装置、この電気光学装置を備えた電子機器、および透明基板に電子部品を実装するための圧着装置を提供することにある。
【００１２】
【課題を解決するための手段】
上記課題を解決するため、本発明では、電気光学物質を保持する透明基板の電子部品実装領域に第１の光源から第１の光を真下から照射することにより前記透明基板の位置決めを行う第１の位置合わせ工程と、前記電子部品実装領域に第２の光源から第２の光を斜め下方から照射することにより前記透明基板の透明な端子と該透明基板に実装される電子部品の端子との位置合わせを行う第２の位置合わせ工程と、前記電子部品と前記透明基板とを異方性導電材を挟んで圧着する圧着工程とを有する電気光学装置の製造方法において、前記第２の光源については、前記第２の位置合わせ工程で点灯状態とし、前記第１の位置合わせ工程では消灯状態とすることを特徴とする。
【００１３】
本発明における消灯状態とは、光源への電力供給を停止した状態に限らず、光源への電力供給を低下させた状態、あるいは光路の途中にシャッタなどを配置して光の照射を停止した状態をも含む意味である。
【００１４】
本発明では、第１の位置合わせ工程において、透明基板の電子部品実装領域に第１の光源から第１の光を真下から照射することにより前記透明基板の位置決めを行った後、第２の位置合わせ工程において、透明基板の電子部品実装領域に第２の光源から第２の光を斜め下方から照射して端子同士の位置合わせを行い、しかる後、圧着工程において端子同士を電気的に接続する。このような工程を行なう際、透明基板に保持されている電気光学物質にも光が当たると、それに含まれる紫外線によって電気光学物質が劣化を起こすおそれがあるが、本発明では、第２の位置合わせ工程を行なう際には第２の光源を点灯させるが、第１の位置合わせ工程を行なう際には第２の光源を消灯状態とする。このため、第２の光源から出射された第２の光が電気光学物質に当たるのを最小限に抑えることができるので、電気光学物質の紫外線による劣化を最小限に抑えることができる。それ故、表示品位の劣化が発生しない。
【００１５】
本発明において、前記第２の光源については、前記第２の位置合わせ工程で所定の時間が経過したときは前記透明基板の端子と前記電子部品の端子との位置合わせが完了したか否かにかかわらず、点灯状態から消灯状態に切り換えることが好ましい。このように構成すると、第２の位置合わせ工程で不具合があって端子同士の位置合わせが予定時間内に完了しない場合でも、第２の光源から出射されたパワーの大きな第２の光が、限界を越えた時間、電気光学物質に当たるのを抑えることができるので、電気光学物質の紫外線による劣化を抑えることができる。
【００１６】
本発明において、前記第１の光源については、前記第１の位置合わせ工程および前記第２の位置合わせ工程のいずれにおいても点灯状態としてもよい。
【００１７】
本発明において、前記第１の光源については、前記圧着工程でも点灯状態とすることが好ましい。このように構成すると、圧着工程において、端子間で異方性導電材に含まれる導電粒子が潰れる様子などを観察することができる。
【００１８】
本発明において、前記第２の光は、前記透明基板において前記電気光学物質が保持されている側から基板縁に向かって出射されることが好ましい。このように構成すると、第２の位置合わせ工程において第２の光が電気光学物質に照射されるのを抑えることができるので、電気光学物質が紫外線によって劣化するのを防止することができる。
【００１９】
本発明において、前記電気光学物質は、例えば、一対の透明基板に保持された液晶である。各種の電気光学物質のうち、液晶は、とくに紫外線に弱いので、液晶を用いた電気光学装置に本発明を適用すれば、他の電気光学物質を用いた場合と比較して顕著な効果を得ることができる。
【００２０】
本発明において、前記電子部品は、例えば、前記一対の透明基板のうち、一方の基板の他方の基板から張り出している張り出し領域に実装されている。
【００２１】
本発明において、前記電子部品は、例えば、フレキシブル基板である。
【００２２】
このような方法によって製造された電気光学装置は、例えば、携帯電話機などといった電子機器の表示部として用いることができる。
【００２３】
本発明に係る電気光学装置を製造するための圧着装置は、電気光学物質を保持する透明基板が上方に配置される透光性ステージと、前記透光性ステージを介して前記透明基板の電子部品実装領域に第１の光を真下から照射する第１の光源と、前記透光性ステージを介して前記透明基板の電子部品実装領域に第２の光を斜め下方から照射する第２の光源と、該第２の光源および前記第１の光源の点灯状態および消灯状態の制御を行う光源制御手段と、前記透光性ステージ上で前記電子部品と前記透明基板とを異方性導電材を挟んで圧着する圧着ヘッドとを有し、前記光源制御手段は、前記透明基板の位置合わせを行う第１の位置合わせ工程では前記第２の光源を消灯状態とし、前記透明基板の透明な端子と該透明基板上に実装される電子部品の端子との位置合わせを行う第２の位置合わせ工程では前記第２の光源を点灯状態とすることを特徴とする。
【００２４】
本発明において、前記光源制御手段は、前記第２の位置合わせ工程で所定の時間が経過したときは前記透明基板の透明な端子と前記電子部品の端子との位置合わせが完了したか否かにかかわらず、前記第２の光源を点灯状態から消灯状態に切り換えることが好ましい。
【００２５】
本発明において、前記光源制御手段は、前記第１の位置合わせ工程および前記第２の位置合わせ工程で前記第１の光源を点灯状態としてもよい。
【００２６】
本発明において、前記光源制御手段は、前記圧着工程で前記第１の光源を点灯状態とすることが好ましい。
【００２７】
本発明において、前記第２の光源は、前記透明基板において前記電気光学物質が保持されている側から基板縁に向かって前記第２の光を出射することが好ましい。
【００２８】
本発明において、前記透光性ステージは、例えば、石英製である。石英であれば、光透過性が高いので、端子の位置を光学的に確認するのに適しており、かつ、圧着に耐え得る硬度と耐熱性を有している。
【００２９】
【発明の実施の形態】
図面を参照して、本発明の実施の形態を説明する。
【００３０】
（全体構成）
図１および図２はそれぞれ、本発明を適用した電気光学装置の斜視図、および分解斜視図である。図３（Ａ）、（Ｂ）はそれぞれ、第２の透明基板に形成されている端子、およびフレキシブル基板に形成されている端子の説明図である。
【００３１】
なお、図２には、電極パターンおよび端子などを模式的に示してあるだけであり、実際の電気光学装置では、より多数の電極パターンや端子が形成されている。
【００３２】
図１および図２において、本形態の電気光学装置１は、パッシブマトリクス型のカラー液晶パネル２を備えており、所定の間隙を介してシール材３０によって貼り合わされた矩形のガラスなどからなる一対の透明基板１０、２０間にシール材３０によって液晶封入領域３５が区画されているとともに、この液晶封入領域３５内には、電気光学物質としての液晶３が封入されている。ここでは、前記一対の透明基板１０、２０のうち、液晶封入領域３５内で縦方向に延びる複数列の第１の電極パターン１２が形成されている方の基板を第１の透明基板１０とし、液晶封入領域３５内で横方向に延びる複数列の第２の電極パターン２２が形成されている方の基板を第２の透明基板２０とする。
【００３３】
ここに示す電気光学装置１は透過型であり、照明装置（図示せず）をバックライトとして所定の表示を行なう。このため、第１の透明基板１０および第２の透明基板２０の外側表面の各々には偏光板（図示せず）が貼られている。なお、図示を省略するが、第２の透明基板２０には、第１の電極パターン１２と第２の電極パターン２２との交点に相当する領域に、赤、緑、青のカラーフィルタが形成され、これらのカラーフィルタの表面側に絶縁性の平坦化膜（図示せず）、第２の電極パターン２２、および配向膜（図示せず）がこの順に形成されている。これに対して、第１の透明基板１０には、第１の電極パターン１２および配向膜（図示せず）がこの順に形成されている。
【００３４】
この電気光学装置１において、第１の電極パターン１２および第２の電極パターン２２は、いずれもＩＴＯ膜によって形成されているため、透明である。
【００３５】
電気光学装置１では、外部との間での信号の入出力、および基板間の導通のいずれを行うにも、第１の透明基板１０および第２の透明基板２０のそれぞれに形成されている端子形成領域１６、２６、２７が用いられる。第２の透明基板２０としては、第１の透明基板１０よりも大きな基板が用いられ、第１の透明基板１０と第２の透明基板２０とを貼り合わせたときに第１の透明基板１０の基板辺から第２の透明基板２０が張り出す部分２５１、２５２の各々に、駆動用ＩＣ５１、５２（半導体チップ）の実装領域５１０、５２０が形成されており、ここに駆動用ＩＣ５１、５２がフェイスダウンボンディングによりＣＯＧ実装されている。
【００３６】
また、第１の透明基板１０の基板辺から第２の透明基板２０が張り出す部分２５１、２５２の各々には、フレキシブル基板４０の各端部４１、４２が異方性導電膜を介して実装される基板実装領域４１０、４２０が形成されている。これらの基板実装領域４１０、４２０は、基本的には同様な構成を有しており、例えば、基板実装領域４１０の方では、図３（Ａ）に示すように、第２の透明基板２０の方に複数の端子４１１が形成され、これらの端子４１１は、いずれも電極パターン２２と同時形成されたＩＴＯ膜からなる。このため、端子４１１は、電極パターン２２と同様、透明である。これに対して、図３（Ｂ）に示すように、フレキシブル基板４０の端部４１には、端子４１１よりも幅の狭い複数の端子４１２が形成されており、これらの端子４１２は、プラスチックフィルム上に形成された銅箔パターンに金めっきが施されたものである。
【００３７】
なお、本形態の電気光学装置１において、フレキシブル基板４０、および駆動用ＩＣ５１、５２がいずれも第２の透明基板２０に実装され、第１の透明基板１０には実装されていない。それでも、本形態では、第２の透明基板２０の端子形成領域２６において、駆動用ＩＣ５１から液晶封入領域３５の側に向かって複数の基板間導通用端子２８が第１の透明基板１０との重なる位置まで形成されている一方、第１の透明基板１０では、第１の電極パターン１２の端部が基板間導通用端子１８として基板間導通用端子２８との重なる位置まで延びている。このため、第１の透明基板１０と第２の透明基板２０とを、基板間導通剤を含有するシール材３０で貼り合わせて基板間導通用端子１８、２８同士を導通させるとともに、第２の透明基板２０に駆動用ＩＣ５１、５２、およびフレキシブル基板４０を実装した以降、フレキシブル基板４０を介して、駆動用ＩＣ５１、５２に所定の信号を入力すれば、駆動用ＩＣ５１、５２から出力された信号は、第１の電極パターン１２および第２の電極パターン２２に供給されるので、第１の電極パターン１２と第２の電極パターン２２との交点に相当する画素を各々駆動することができる。
【００３８】
（フレキシブル基板４０の実装方法）
このような構成の電気光学装置１を製造するにあたっては、駆動用ＩＣ５１、５２、およびフレキシブル基板４０を第２の透明基板２０に順次、実装していくが、図４、図５、および図６を参照して、フレキシブル基板４０の端部４１を第２の透明基板２０の基板実装領域４１０に実装する工程に本発明を適用した例を説明する。
【００３９】
図４は、本発明を適用した圧着装置の要部の構成を示す説明図である。図５は、この圧着装置を用いて第２の透明基板にフレキシブル基板を実装する様子を示す説明図である。図６は、この圧着装置における２つの光源の駆動条件を示すタイミングチャート図である。
【００４０】
図４および図５において、本形態で使用される圧着装置１００には、第１の透明基板１０と第２の透明基板２０との間に電気光学物質としての液晶３を保持した液晶パネル２を吸着、保持する第１のチャック１５０と、フレキシブル基板４０を吸着、保持する第２のチャック１６０とが構成されている。また、液晶パネル２の第２の透明基板２０のうち、フレキシブル基板４０の端部４１が実装される基板実装領域４１０の下方位置には、石英製の透光性ステージ１１０が配置されている。
【００４１】
第１のチャック１５０に対しては、それぞれ矢印で示すが、第１のチャック１５０をＸ方向に駆動することにより液晶パネル２のＸ方向における位置を調整する第１のパネル側駆動装置Ｘ１と、第１のチャック１５０をＹ方向に駆動することにより液晶パネル２のＹ方向における位置を調整する第２のパネル側駆動装置Ｙ１と、第１のチャック１５０をＸ−Ｙ平面内で回転駆動することにより液晶パネル２の向きを調整する第３のパネル側駆動装置Ｚ１が構成されている。また、第２のチャック１６０に対しては、それぞれ矢印で示すが、第２のチャック１６０をＸ方向に駆動することによりフレキシブル基板４０のＸ方向における位置を調整する第１の基板側駆動装置Ｘ２と、第２のチャック１６０をＹ方向に駆動することによりフレキシブル基板４０のＹ方向における位置を調整する第２の基板側駆動装置Ｙ２と、第２のチャック１６０をＸ−Ｙ平面内で回転駆動することによりフレキシブル基板２の向きを調整する第３の基板側駆動装置Ｚ２が構成されている。
【００４２】
また、圧着装置１００には、透光性ステージ１１０を通して第２の透明基板１０の基板実装領域４１０に光を照射する光源部１２０と、この光源部１２０から出射した光の反射光に基づいて第２の透明基板２０の基板実装領域４１０に形成されている透明な端子４１１（図３（Ａ）を参照）とフレキシブル基板４０の端子４２１（図３（Ｂ）を参照）との位置関係の観察を行うための撮像装置１３０と、この撮像装置１３０を用いての観察結果に基づいて、前記の各駆動装置Ｘ１、Ｙ１、Ｚ１、Ｘ２、Ｙ２、Ｚ２によって第２の透明基板２０とフレキシブル基板４０との位置を調整して端子４１１、４１２同士を位置合わせした状態において、透光性ステージ１１０上でフレキシブル基板４０の端部４１と第２の透明基板２０とを異方性導電材を挟んで圧着することにより端子４１１、４１２同士を電気的に接続する圧着ヘッド１８０とが構成されている。
【００４３】
ここで、光源部１２０は、第２の透明基板２０の基板実装領域４１０の真下から透光性ステージ１１０を介して第２の透明基板２０に照射される第１の白色光を出射するハロゲンランプからなる第１の光源１２１と、第２の透明基板２０の基板実装領域４１０に対して斜め下方から第１の白色光と比較して大きなパワーをもって透光性ステージ１１０を介して第２の透明基板２０に照射される第２の白色光を出射するハロゲンランプからなる第２の光源１２２と、これらの光源１２１、１２２を制御する光源制御部１４０とを備えている。また、第２の光源１２２に対しては、紫外線除去フィルタ１２９を配置することもある。
【００４４】
本形態において、第２の光源１２１は、液晶封入領域３５の真下位置から基板縁に向かって斜めに第２の白色光を照射するように配置されている。
【００４５】
また光源制御部１４０は、タイマー１４１を内蔵しており、後述するように、第２の光源１２２を点灯時間を計時し、所定時間が経過したときには、第２の光源１２２を点灯状態から消灯状態に切り換える。
【００４６】
なお、第１の光源１２１および第２の光源１２２は、それぞれフレキシブルケーブル１２４、１２５および投射レンズ光学系１２６、１２７を介して白色光を出射する。
【００４７】
このように構成した圧着装置１００を用いて第２の透明基板２０に対してフレキシブル基板４０の端部４１を実装するには、まず、液晶パネル２の第２の透明基板２０の基板実装領域４１０に異方性導電材を塗布、あるいは重ねた後、圧着装置１００の第１のチャック１５０および第２のチャック１５０に液晶パネル２およびフレキシブル基板４０をそれぞれ吸着、保持させる。
【００４８】
次に、第２の透明基板２０の基板実装領域４１０の真下で第１の光源１２１から照射された第１の白色光の反射光によって、第２の透明基板２０に形成されているアライメントマーク（図示せず）を撮像装置１３０によって観察し、その観察結果に基づいて、液晶パネル２の位置合わせを行う（第１の位置合わせ工程）。
【００４９】
次に、第２の透明基板２０の基板実装領域４１０の斜め下方位置で第２の光源１２２から照射された第２の白色光の反射光によって、第２の透明基板２０に形成されているアライメントマーク（図示せず）を撮像装置１３０によって観察するとともに、第２の透明基板２０に形成されている端子４１１とフレキシブル基板４０の端子４１２との位置関係を観察し、それらの観察結果に基づいて、端子４１１、４１２同士の位置合わせを行う（第２の位置合わせ工程）。ここで、第２の光源１２２から出射される第２の白色光は、第１の光源１２１から出射される第１の白色光に比較して大きなパワーを有している。
【００５０】
このようにして端子４１１、４１２同士の位置合わせを終えた後、圧着ヘッド１８０を降下させ、透光性ステージ１１０上でフレキシブル基板４０の端部４１と第２の透明基板２０とを異方性導電材を挟んで圧着することにより端子４１１、４１２同士を電気的に接続する（圧着工程）。
【００５１】
このようにして端子４１１、４１２同士を電気的に接続する際、本形態では、図６に示すように、光源制御部１４０は、第１の位置合わせ工程、第２の位置合わせ工程、および圧着工程のいずれの工程においても、パワーの小さな第１の白色光を出射する第１の光源１２１については点灯状態とする。
【００５２】
これに対して、光源制御部１４０は、パワーの大きな第２の白色光を出射する第２の光源１２２については、、第１の位置合わせ工程、第２の位置合わせ工程、および圧着工程のうち、第２の位置合わせ工程においてのみ点灯状態とし、第１の位置合わせ工程、および圧着工程では、消灯状態とする。
【００５３】
また、光源制御部１４０は、第２の位置合わせ工程において、第２の光源１２２については、第２の光源１２２を点灯状態にした以降、タイマー１４１によって時間経過を計測し、第２の光源１２２を点灯状態にしてから所定の時間、例えば、４５秒が経過したとき、端子４１１、４１２同士の位置合わせが完了したか否かにかかわらず、第２の光源１２２を点灯状態から消灯状態に切り換える。
【００５４】
以上説明したように、本形態では、第２の位置合わせ工程を行なう際には、パワーの大きな第２の白色光を出射する第２の光源１２２については点灯させるが、第１の位置合わせ工程を行なう際には、第２の光源１２２を消灯状態とする。このため、第２の光源１２２から出射されたパワーの大きな第２の白色光が液晶３に当たるのを最小限に抑えることができる。従って、白色光が液晶３に照射されたとき、この白色光に含まれる波長が４００ｎｍから４３０ｎｍの紫外線によって液晶３が劣化するおそれがあっても、本形態では、液晶３に紫外線が照射されるのを最小時間に抑えてあるので、液晶３はほとんど劣化しない。それ故、本形態によれば、電気光学装置１の表示品位に劣化が発生しない。
【００５５】
また、本形態において、第２の光源１２２については、第２の位置合わせ工程で所定の時間が経過したときは端子４１１、４１２同士の位置合わせが完了したか否かにかかわらず、点灯状態から消灯状態に切り換えるため、第２の位置合わせ工程で不具合があって端子４１１、４１２同士の位置合わせが予定時間内に完了しない場合でも、第２の光源１２２から出射されたパワーの大きな第２の光が、限界を越えた時間、液晶３に当たるのを防止することができる。それ故、液晶３の紫外線による劣化を抑えることができ、電気光学装置１の歩留まりが向上する。
【００５６】
さらに、本形態では、パワーの小さな第１の白色光を出射する第１の光源１２１については、圧着工程でも点灯状態とするため、圧着工程において、端子４１１、４１２間で異方性導電材に含まれる導電粒子が潰れる様子などを透明な端子４１１を通して観察することができる。
【００５７】
さらにまた、本形態において、第２の透明基板２０の斜め下方から第２の白色光を照射するとしても、第２の白色光は、液晶パネル２の液晶封入領域３５の真下から反対方向（基板縁）に向けて斜めに照射されているので、パワーの強い第２の白色光が液晶３に照射されることを防止することができる。また、紫外線除去フィルタ１２９によって第２の白色光から紫外線を除去するように構成する場合があるが、このような構成を採用したとき、紫外線除去フィルタ１２９によって、紫外線を完全に除去できなくても、液晶３が紫外線によって劣化するのを防止することができる。
【００５８】
しかも、透光性ステージ１１０は石英製であり、石英であれば、光透過性が高いので、端子４１１、４１２の位置を光学的に確認するのに適しており、かつ、圧着に耐え得る硬度と耐熱性を有している。
【００５９】
（その他の実施の形態）
なお、上記形態では、透明基板にフレキシブル基板を実装する例を示したが、透明基板に駆動用ＩＣなどを実装するのに本発明を適用してもよい。
【００６０】
また、上記形態では、電気光学装置として、パッシブマトリクスタイプの液晶装置を例に説明したが、これに限らず、例えば、アクティブマトリクスタイプの液晶装置において、石英基板などにフレキシブル基板や駆動用ＩＣを実装するのに本発明を適用してもよい。
【００６１】
さらに、上記形態では、基板間導通構造を採用しているので、電気光学物質としての液晶を保持する２枚の透明基板の一方にフレキシブル基板を実装する例を説明したが、２枚の透明基板の各々にフキレキシブル基板や駆動用ＩＣを実装するのに本発明を適用してもよい。
【００６２】
（電子機器の実施形態）
図７は、本発明に係る電気光学装置（液晶装置）を各種の電子機器の表示装置として用いる場合の一実施形態を示している。ここに示す電子機器は、表示情報出力源７０、表示情報処理回路７１、電源回路７２、タイミングジェネレータ７３、そして液晶装置７４を有する。また、液晶装置７４は、液晶表示パネル７５及び駆動回路７６を有する。液晶装置７４および液晶表示パネル７５としては、前述した電気光学装置１、および液晶パネル２を用いることができる。
【００６３】
表示情報出力源７０は、ＲＯＭ（Read Only Memory）、ＲＡＭ（Random Access Memory）等といったメモリ、各種ディスク等といったストレージユニット、デジタル画像信号を同調出力する同調回路等を備え、タイミングジェネレータ７３によって生成された各種のクロック信号に基づいて、所定フォーマットの画像信号等といった表示情報を表示情報処理回路７１に供給する。
【００６４】
表示情報処理回路７１は、シリアル−パラレル変換回路や、増幅・反転回路、ローテーション回路、ガンマ補正回路、クランプ回路等といった周知の各種回路を備え、入力した表示情報の処理を実行して、その画像信号をクロック信号ＣＬＫと共に駆動回路７６へ供給する。駆動回路７６は、走査線駆動回路やデータ線駆動回路、検査回路等を総称したものである。また、電源回路７２は、各構成要素に所定の電圧を供給する。
【００６５】
図８は、本発明に係る電子機器の一実施形態であるモバイル型のパーソナルコンピュータを示している。ここに示すパーソナルコンピュータは、キーボード８１を備えた本体部８２と、液晶表示ユニット８３とを有する。液晶表示ユニット８３は、前述した電気光学装置１を含んで構成される。
【００６６】
図９は、本発明に係る電子機器の他の実施形態である携帯電話機を示している。ここに示す携帯電話機９０は、複数の操作ボタン９１と、液晶装置からなる電気光学装置１を有している。
【００６７】
【発明の効果】
以上説明したように、本発明では、パワーの大きな光を出射する光源については、その光を用いて位置合わせを行なう工程のみにおいて点灯状態とするため、パワーの大きな光が電気光学物質に当たるのを最小限に抑えることができる。従って、電気光学物質の紫外線による劣化を最小限に抑えることができるので、表示品位の劣化が発生しない。
【図面の簡単な説明】
【図１】本発明を適用した電気光学装置の斜視図である。
【図２】図１に示す電気光学装置の分解斜視図である。
【図３】（Ａ）、（Ｂ）はそれぞれ、第２の透明基板に形成されている端子、およびフレキシブル基板に形成されている端子の説明図である。
【図４】本発明を適用した圧着装置の要部の構成を示す説明図である。
【図５】図４に示す圧着装置を用いて第２の透明基板にフレキシブル基板を実装する様子を示す説明図である。
【図６】図５に示す２つの光源の駆動条件を示すタイミングチャート図である。
【図７】本発明に係る電気光学装置を用いた各種電子機器の構成を示すブロック図である。
【図８】本発明に係る電気光学装置を用いた電子機器の一実施形態としてのモバイル型のパーソナルコンピュータを示す説明図である。
【図９】本発明に係る電気光学装置を用いた電子機器の一実施形態としての携帯電話機の説明図である。
【図１０】従来の圧着装置を用いて第２の透明基板にフレキシブル基板を実装する様子を示す説明図である。
【図１１】従来の圧着装置における２つの光源の駆動条件を示すタイミングチャート図である。
【符号の説明】
１  電気光学装置
２  液晶パネル
３  液晶
１０、２０  透明基板
１２、２２  電極パターン
１６、２６、２７  端子形成領域
１８、２８  基板間導通用端子
３０  シール材
３５  液晶封入領域
４１、４２  フレキシブル基板の端部
５１、５２  駆動用ＩＣ
１００  圧着装置
１１０  透光性ステージ
１２０  光源部
１２１  第１の光源
１２２  第２の光源
１２４、１２５  フレキシブルケーブル
１２６、１２７  投射レンズ光学系
１３０  撮像装置
１４０  光源制御部（光源制御手段）
１４１  タイマー
１５０、１６０  チャック
１８０  圧着ヘッド
２５１、２５２  透明基板が張り出す部分
４１０、４２０  基板実装領域
４１１  透明基板側の端子
４１２  フレキシブル基板側の端子
５１０、５２０  駆動用ＩＣの実装領域
Ｘ１  第１のパネル側駆動装置
Ｙ１  第２のパネル側駆動装置
Ｚ１  第３のパネル側駆動装置
Ｘ２  第１の基板側駆動装置
Ｙ２  第２の基板側駆動装置
Ｚ２  第３の基板側駆動装置
【図１】
0003767393.tif 000002
【図２】
0003767393.tif 000003
【図３】
0003767393.tif 000004
【図４】
0003767393.tif 000005
【図５】
0003767393.tif 000006
【図６】
0003767393.tif 000007
【図７】
0003767393.tif 000008
【図８】
0003767393.tif 000009
【図９】
0003767393.tif 000010
【図１０】
0003767393.tif 000011
【図１１】
0003767393.tif 000012